(57)【要約】【課題】作動距離が短い場合であっても被検者と装置との意図しない接触を回避することが可能な眼科装置を提供する。【解決手段】眼科装置は、被検眼のデータを収集するための光学系と、光学系を収容する収容部と、光学系の光軸が通過する通過部が形成され被検眼の周辺部位が接触されている状態で被検者の顔を移動自在に保持する保持部材を含み、収容部と被検眼との間で着脱可能なアタッチメント部材と、を含む。【選択図】図１
2019013362.tif 000002
【特許請求の範囲】
【請求項１】
被検眼のデータを収集するための光学系と、
前記光学系を収容する収容部と、
前記光学系の光軸が通過する通過部が形成され前記被検眼の周辺部位が接触されている状態で被検者の顔を移動自在に保持する保持部材を含み、前記収容部と前記被検眼との間で着脱可能なアタッチメント部材と、
を含む眼科装置。
【請求項２】
前記保持部材は、少なくとも前記周辺部位が接触される部分において前記光学系の光軸の方向及び前記光軸の方向に交差する方向の少なくとも１つの方向に弾性を有する
ことを特徴とする請求項１に記載の眼科装置。
【請求項３】
前記保持部材は、前記周辺部位が接触されているときに前記被検眼が前記光学系の作動距離に対応する位置に配置されるような前記光軸の方向の厚さを有する
ことを特徴とする請求項１又は請求項２に記載の眼科装置。
【請求項４】
前記光学系を移動する移動機構と、
前記移動機構を駆動する駆動部と、
前記アタッチメント部材が装着されているか否かを検出する検出部と、
前記検出部により得られた検出結果に基づいて前記駆動部を制御する制御部と、
を含む
ことを特徴とする請求項１〜請求項３のいずれか一項に記載の眼科装置。
【請求項５】
前記制御部は、前記検出部により前記アタッチメント部材が装着されていることが検出されたとき、前記移動機構による前記光学系の移動を禁止する
ことを特徴とする請求項４に記載の眼科装置。
【請求項６】
前記制御部は、前記検出部により前記アタッチメント部材が装着されていないことが検出されたとき第１アライメント動作を実行し、前記検出部により前記アタッチメント部材が装着されていることが検出されたとき第２アライメント動作を実行する
ことを特徴とする請求項４又は請求項５に記載の眼科装置。
【請求項７】
前記光学系は、
光源からの光を参照光と測定光とに分割し、前記測定光を前記被検眼に照射し、前記被検眼からの前記測定光の戻り光と前記参照光との干渉光を検出する干渉光学系と、
前記被検眼を撮影するための観察光学系と、
を含み、
前記制御部は、前記第１アライメント動作として、前記干渉光学系により得られた前記干渉光の検出結果に基づいて前記光軸の方向の前記光学系の移動を制御し、前記観察光学系により得られた前記被検眼の正面画像における特徴部位の位置に基づいて前記光軸の方向に交差する方向の前記光学系の移動を制御する
ことを特徴とする請求項６に記載の眼科装置。
【請求項８】
前記干渉光学系により得られた前記干渉光の検出結果に基づいて前記被検眼の断層像を形成する画像形成部を含む
ことを特徴とする請求項７に記載の眼科装置。
【請求項９】
前記光学系は、光源からの光を参照光と測定光とに分割し、前記測定光を前記被検眼に照射し、前記被検眼からの前記測定光の戻り光と前記参照光との干渉光を検出する干渉光学系を含み、
前記制御部は、前記第１アライメント動作として、前記干渉光学系により得られた前記干渉光の検出結果に基づいて前記光軸の方向及び前記光軸の方向に交差する方向の前記光学系の移動を制御する
ことを特徴とする請求項６に記載の眼科装置。
【請求項１０】
前記干渉光学系により得られた前記干渉光の検出結果に基づいて前記被検眼の断層像及び正面画像を形成する画像形成部を含む
ことを特徴とする請求項９に記載の眼科装置。
【請求項１１】
前記光学系は、前記被検眼に固視光束を投射する固視光学系を含み、
前記制御部は、前記第２アライメント動作として、所定の固視位置に固視標を呈示するように前記固視光学系を制御する
ことを特徴とする請求項６〜請求項１０のいずれか一項に記載の眼科装置。
【請求項１２】
前記光学系は、前記被検眼に固視標を呈示する固視光学系を含み、
前記制御部は、前記被検眼の正面画像に基づいて前記光学系に対する前記被検眼の相対位置を特定し、特定された前記相対位置に応じて前記固視光学系を制御する
ことを特徴とする請求項７又は請求項１０に記載の眼科装置。
【請求項１３】
前記通過部は、前記被検者の左眼及び右眼に対して前記光軸が通過可能に形成され、
前記移動機構は、少なくとも前記左眼及び前記右眼が並ぶ方向に前記光学系と前記アタッチメント部材とを相対的に移動する
ことを特徴とする請求項４〜請求項１２のいずれか一項に記載の眼科装置。
【発明の詳細な説明】
【技術分野】
【０００１】
この発明は、眼科装置に関する。
【背景技術】
【０００２】
眼疾患のスクリーニングや治療などを行うための眼科装置には、簡便に広い視野で被検眼の眼底などの観察や撮影が可能なものが求められている。このような眼科装置として、光干渉断層計や走査型レーザー検眼鏡（Ｓｃａｎｎｉｎｇ  Ｌａｓｅｒ  Ｏｐｈｔｈａｌｍｏｓｃｏｐｅ：以下、ＳＬＯ）が知られている。ＳＬＯは、光で眼底をスキャンし、その戻り光を受光デバイスで検出することにより眼底の画像を形成する装置である。
【０００３】
一般に、眼科装置を用いて広い視野で眼底などの観察等を行うためには対物レンズの径を大きくする必要がある。しかし、対物レンズの大径化は、装置のコスト高及び大型化を招く。そこで、対物レンズの大径化を抑制しつつ、広い視野で眼底などの観察等を行うための手法が種々提案されている。
【０００４】
例えば特許文献１には、対物レンズ系に含まれるコンタクトレンズを被検眼の角膜に接触させることにより被検眼の広角画像を取得する手法が開示されている。また、例えば特許文献２には、楕円面鏡を用いて被検眼の広角画像を取得するための眼科装置において、前眼部撮影系を設け、前眼部撮影系で被検眼の前眼部を撮影する手法が開示されている。
【先行技術文献】
【特許文献】
【０００５】
【特許文献１】欧州特許出願公開第１３０８１２４号明細書
【特許文献２】米国特許第５８１５２４２号明細書
【発明の概要】
【発明が解決しようとする課題】
【０００６】
しかしながら、従来の広い視野で被検眼の画像を取得するための眼科装置では、被検眼と装置光学系（対物レンズ）との間の距離である作動距離が短い。従って、被検者の顔の形状によっては、被検者によるアライメント操作やオートアライメント動作により装置（筐体、光学系）が被検者（顔の一部、被検眼）に接触する可能性が高くなるという問題がある。
【０００７】
本発明は、このような事情に鑑みてなされたものであり、その目的は、作動距離が短い場合であっても被検者と装置との意図しない接触を回避することが可能な眼科装置を提供することにある。
【課題を解決するための手段】
【０００８】
実施形態に係る第１態様は、被検眼のデータを収集するための光学系と、前記光学系を収容する収容部と、前記光学系の光軸が通過する通過部が形成され前記被検眼の周辺部位が接触されている状態で被検者の顔を移動自在に保持する保持部材を含み、前記収容部と前記被検眼との間で着脱可能なアタッチメント部材と、を含む眼科装置である。
【０００９】
また、実施形態に係る第２態様では、第１態様において、前記保持部材は、少なくとも前記周辺部位が接触される部分において前記光学系の光軸の方向及び前記光軸の方向に交差する方向の少なくとも１つの方向に弾性を有していてもよい。
【００１０】
また、実施形態に係る第３態様では、第１態様又は第２態様において、前記保持部材は、前記周辺部位が接触されているときに前記被検眼が前記光学系の作動距離に対応する位置に配置されるような前記光軸の方向の厚さを有していてもよい。
【００１１】
また、実施形態に係る第４態様は、第１態様〜第３態様のいずれかにおいて、前記光学系を移動する移動機構と、前記移動機構を駆動する駆動部と、前記アタッチメント部材が装着されているか否かを検出する検出部と、前記検出部により得られた検出結果に基づいて前記駆動部を制御する制御部と、を含んでもよい。
【００１２】
また、実施形態に係る第５態様では、第４態様において、前記制御部は、前記検出部により前記アタッチメント部材が装着されていることが検出されたとき、前記移動機構による前記光学系の移動を禁止してもよい。
【００１３】
また、実施形態に係る第６態様では、第４態様又は第５態様において、前記制御部は、前記検出部により前記アタッチメント部材が装着されていないことが検出されたとき第１アライメント動作を実行し、前記検出部により前記アタッチメント部材が装着されていることが検出されたとき第２アライメント動作を実行してもよい。
【００１４】
また、実施形態に係る第７態様では、第６態様において、前記光学系は、光源からの光を参照光と測定光とに分割し、前記測定光を前記被検眼に照射し、前記被検眼からの前記測定光の戻り光と前記参照光との干渉光を検出する干渉光学系と、前記被検眼を撮影するための観察光学系と、を含み、前記制御部は、前記第１アライメント動作として、前記干渉光学系により得られた前記干渉光の検出結果に基づいて前記光軸の方向の前記光学系の移動を制御し、前記観察光学系により得られた前記被検眼の正面画像における特徴部位の位置に基づいて前記光軸の方向に交差する方向の前記光学系の移動を制御してもよい。
【００１５】
また、実施形態に係る第８態様は、第７態様において、前記干渉光学系により得られた前記干渉光の検出結果に基づいて前記被検眼の断層像を形成する画像形成部を含んでもよい。
【００１６】
また、実施形態に係る第９態様は、第６態様において、前記光学系は、光源からの光を参照光と測定光とに分割し、前記測定光を前記被検眼に照射し、前記被検眼からの前記測定光の戻り光と前記参照光との干渉光を検出する干渉光学系を含み、前記制御部は、前記第１アライメント動作として、前記干渉光学系により得られた前記干渉光の検出結果に基づいて前記光軸の方向及び前記光軸の方向に交差する方向の前記光学系の移動を制御してもよい。
【００１７】
また、実施形態に係る第１０態様は、第９態様において、前記干渉光学系により得られた前記干渉光の検出結果に基づいて前記被検眼の断層像及び正面画像を形成する画像形成部を含んでもよい。
【００１８】
また、実施形態に係る第１１態様は、第６態様〜第１０態様のいずれかにおいて、前記光学系は、前記被検眼に固視光束を投射する固視光学系を含み、前記制御部は、前記第２アライメント動作として、所定の固視位置に固視標を呈示するように前記固視光学系を制御してもよい。
【００１９】
また、実施形態に係る第１２態様では、第７態様又は第１０態様において、前記光学系は、前記被検眼に固視標を呈示する固視光学系を含み、前記制御部は、前記被検眼の正面画像に基づいて前記光学系に対する前記被検眼の相対位置を特定し、特定された前記相対位置に応じて前記固視光学系を制御してもよい。
【００２０】
また、実施形態に係る第１３態様では、第４態様〜第１２態様のいずれかにおいて、前記通過部は、前記被検者の左眼及び右眼に対して前記光軸が通過可能に形成され、前記移動機構は、少なくとも前記左眼及び前記右眼が並ぶ方向に前記光学系と前記アタッチメント部材とを相対的に移動してもよい。
【発明の効果】
【００２１】
本発明によれば、作動距離が短い眼科装置であっても、被検者と装置との意図しない接触を回避することが可能になる。
【図面の簡単な説明】
【００２２】
【図１】実施形態に係る眼科装置の構成の一例を示す概略図である。
【図２】実施形態に係る眼科装置の動作を説明するための概略図である。
【図３】実施形態に係る眼科装置の動作を説明するための概略図である。
【図４】実施形態に係る眼科装置の動作を説明するための概略図である。
【図５】実施形態に係る眼科装置の動作の一例を表すフローチャートである。
【図６】実施形態に係る眼科装置の動作の一例を表すフローチャートである。
【図７】実施形態に係る眼科装置の構成の一例を示す概略図である。
【図８】実施形態に係る眼科装置の動作の一例を表すフローチャートである。
【図９】実施形態に係る眼科装置の動作を説明するための概略図である。
【図１０】実施形態に係る眼科装置の動作を説明するための概略図である。
【図１１】実施形態に係る眼科装置の動作を説明するための概略図である。
【図１２】実施形態の第１変形例に係る眼科装置の構成の一例を示す概略図である。
【図１３】実施形態の第２変形例に係る眼科装置の構成の一例を示す概略図である。
【図１４】実施形態の第３変形例に係る眼科装置の構成の一例を示す概略図である。
【発明を実施するための形態】
【００２３】
この発明に係る眼科装置の実施形態の一例について、図面を参照しながら詳細に説明する。なお、実施形態において、この明細書において引用されている文献に記載された技術を任意に援用することが可能である。
【００２４】
実施形態に係る眼科装置は、後眼部を光ビームでスキャンして所定データの分布（例：画像、層厚分布、病変分布）を取得することが可能である。そのような眼科装置の例として光干渉断層計やＳＬＯなどがある。
【００２５】
実施形態に係る眼科装置は、眼底に固視標を投影する機能を備えていてよい。固視標には、内部固視標や外部固視標を用いることができる。
【００２６】
以下、特に明記しない限り、被検者から見て左右方向をＸ方向とし、上下方向をＹ方向とし、前後方向（奥行き方向）をＺ方向とする。Ｘ方向、Ｙ方向及びＺ方向は、３次元直交座標系を定義する。
【００２７】
［第１実施形態］
＜構成＞
図１に、第１実施形態に係る眼科装置の概略構成を示す。眼科装置１は、被検眼Ｅの眼底Ｅｆを光でスキャンすることによりデータを収集し、収集されたデータに基づいて眼底Ｅｆの画像を取得する。図１では、眼底Ｅｆの２次元断層像又は３次元画像、正面画像が得られる。
【００２８】
眼科装置１は、光学系２と、光学系２を収容する収容部３と、移動機構４と、制御部５と、画像形成部６と、データ処理部７と、ユーザインターフェイス（ＵＩ）部８と、検出部９とを含む。眼科装置１には、制御部５からの制御を受けて移動機構４を駆動する駆動部４Ｄが設けられていてもよい。
【００２９】
＜移動機構＞
移動機構４は、光学系２（収容部３）を移動する。移動機構４は、ＸＹＺ移動機構４Ａと、スイング機構４Ｂと、チルト機構４Ｃとを含む。ＸＹＺ移動機構４Ａは、光学系２をＸ方向、Ｙ方向、及びＺ方向に移動する。スイング機構４Ｂは、被検眼Ｅの所定位置（例えば、瞳位置）を基準に光学系２を水平方向に旋回（回動）させる。具体的には、スイング機構４Ｂは、弧状の軌道に沿って光学系２を水平方向に移動させる。スイング機構４Ｂは、所定の移動角度範囲内において光学系２を旋回させる。チルト機構４Ｃは、被検眼Ｅの所定位置（例えば、瞳位置）を基準に光学系２を垂直方向に旋回（回動）させる。具体的には、チルト機構４Ｃは、弧状の軌道に沿って光学系２を垂直方向に移動させる。チルト機構４Ｃは、所定の移動角度範囲内において光学系２を旋回させる。旋回中心は、瞳位置に限定されず、後眼部の走査を妨げない範囲において瞳位置から変位した位置であってもよい。このような範囲内の位置を「瞳位置の近傍位置」と呼ぶ。なお、瞳位置に対する近傍位置の変位は、ＸＹＺ空間における任意方向への変位であってよい。以下、特に言及しない限り、「瞳位置」は「瞳位置又はその近傍位置」を意味する。
【００３０】
ＸＹＺ移動機構４Ａは、例えば、被検眼Ｅに対する光学系２の位置合わせ（アライメント）やトラッキングにおいて用いられる。トラッキングとは、被検眼Ｅの運動に合わせて光学系２を移動させるものである。トラッキングを行う場合には、事前にアライメントとピント合わせが実行される。トラッキングは、被検眼Ｅを撮影（動画撮影）して得られる画像に基づき被検眼Ｅの位置や向きに合わせて光学系２をリアルタイムで移動させることにより、アライメントとピントが合った好適な位置関係を維持する機能である。
【００３１】
スイング機構４Ｂ及びチルト機構４Ｃは、被検眼Ｅ（眼底Ｅｆ）に対する広範囲のスキャンや眼底Ｅｆの周辺部の撮影に用いられる。スイング機構４Ｂ及びチルト機構４Ｃは、例えば、瞳位置を中心に光学系２を所定の移動角度範囲内で３次元的に旋回させる。
【００３２】
このような移動機構４は、例えば、光学系２を保持する１以上の保持部材と、上記移動角度範囲内の任意の位置に移動可能に設けられた１以上のガイドアームとを含む。移動機構４は、ガイドアームに沿ってスライドする。なお、旋回方向の次元は３次元には限定されず、例えば１次元又は２次元であってもよい。
【００３３】
駆動部４Ｄは、例えば、制御部５の制御の下に動作する。この場合、駆動部４Ｄは、光学系２を旋回するための駆動力を発生するアクチュエーターを含む（図示省略）。アクチュエーターは、制御部５からの制御信号に応じた駆動力を発生する。この駆動力は、図示しない伝達機構により伝達され、保持部材をガイドアームに沿って移動する。このような制御により、当該制御信号に応じた方向に、当該制御信号に応じた角度だけ、光学系２が旋回される。この場合、光学系２の位置は、制御部５による駆動部４Ｄに対する制御内容により特定される。特定された位置情報は、例えば、制御部５、画像形成部６、データ処理部７などによって利用される。
【００３４】
また、移動機構４は、アクチュエーターを備えていなくてよい。この場合、光学系２が手動で旋回される。光学系２の位置は、エンコーダーや位置センサーによって検知される。これにより取得された位置情報は、例えば、制御部５、画像形成部６、データ処理部７などによって利用される。
【００３５】
移動機構４は、収容部３を移動することにより光学系２を移動させてもよいし、光学系２の一部だけを移動させてもよい。
【００３６】
＜アタッチメント部材＞
眼科装置１には、収容部３（光学系２）と被検眼Ｅとの間にアタッチメント部材９０が設けられている。アタッチメント部材９０は、収容部３と被検眼Ｅとの間で着脱可能である。例えば、アタッチメント部材９０は、収容部３に対して着脱可能であってよい。アタッチメント部材９０は、保持部材９１を含む。保持部材９１には、光学系２の光軸Ｏが通過する通過部９２が形成されている。被検眼Ｅは、通過部９２を通る光軸Ｏに配置される。保持部材９１は、アタッチメント部材９０の装置側の反対側の面において被検眼Ｅの周辺部位Ｅｒ（例えば、眼の上方の部位や頬）が接触されている状態で被検者の顔を移動自在に保持する。通過部９２は、例えば、保持部材９１の表面から裏面に貫通するように形成された穴部である。当該穴部には、被検眼Ｅを保護するための透明な保護部材や光学部材が配置されていてもよい。すなわち、被検者は、被検眼Ｅが通過部９２を通して光学系２の側を視認できるように保持部材９１に顔の一部を当接させる。この状態で被検眼Ｅの計測が行われる。
【００３７】
保持部材９１は、少なくとも周辺部位Ｅｒが接触される部分においてＺ方向（光学系２の光軸Ｏの方向）、Ｘ方向及びＹ方向（光軸Ｏの方向に交差する方向）の少なくとも１つの方向に弾性を有する。すなわち、保持部材９１は、被検眼Ｅを保持した状態で、Ｘ方向、Ｙ方向、及びＺ方向の少なくとも１つの方向に被検眼Ｅの移動を許容する。このような保持部材９１において少なくとも周辺部位Ｅｒが接触される部分（顔の当接部分）には、樹脂やゴムなどの弾性部材が設けられている。それにより、被検者は、顔の一部を保持部材９１に当接した状態で、光学系２に対する被検眼Ｅの位置を自分で変更することができる。
【００３８】
保持部材９１は、周辺部位Ｅｒが接触されているときに被検眼Ｅが光学系２の作動距離に対応する位置に配置されるような光軸Ｏの方向の厚さを有する。例えば、保持部材９１は、被検者が顔を保持部材９１に当接した状態において、所定の被検眼位置より光学系２に接近しないような光軸Ｏ方向の厚さを有する。ここで、所定の被検眼位置は、光学系２における基準位置に対する収容部３の外観形状の位置関係や光学系２の作動距離により一意に決定される。それにより、作動距離が短い場合であっても、被検者（顔の一部、被検眼Ｅ）と装置（光学系２、収容部３）との接触の可能性をより一層低減させることができるようになる。
【００３９】
＜光学系＞
光学系２は、眼底Ｅｆのデータを光学的に収集するための光学部材や機構を含む。光学系２は、照明光学系１０と、観察光学系２０と、走査光学系３０と、干渉光学系４０と、固視光学系５０とを含む。光学系２には、例えば、被検眼Ｅに対する光学系２のアライメントを行うためのアライメント系、及び被検眼Ｅに対する光学系２のフォーカシングを行うためのフォーカス系のうちの少なくとも１つを含んでいてもよい。
【００４０】
光学系２は、上記の光学系の光路を分離したり他の光学系と結合したりするための光路結合分離部材としての光学素子を含む。図１では、光路結合分離部材として、例えば、ビームスプリッタＭ１〜Ｍ３が設けられている。
【００４１】
ビームスプリッタＭ１は、照明光学系１０の光路と観察光学系２０の光路とを結合したり、ビームスプリッタＭ２を透過した光の光路から観察光学系２０の光路を分離したりする。ビームスプリッタＭ１は、照明光学系１０からの光を透過し、ビームスプリッタＭ２を透過した光を観察光学系２０に向けて反射する特性を有する。ビームスプリッタＭ１は、照明光学系１０の光軸が観察光学系２０の光軸と略同軸になるように、これら光学系を結合することが望ましい。
【００４２】
ビームスプリッタＭ２は、走査光学系３０（又は干渉光学系４０）の光路と照明光学系１０（又は観察光学系２０）の光路とを結合したり、ビームスプリッタＭ３により反射された光の光路から走査光学系３０（又は干渉光学系４０）の光路と照明光学系１０（又は観察光学系２０）の光路とを分離したりする。ビームスプリッタＭ２は、ビームスプリッタＭ１からの光を透過し、走査光学系３０からの光をビームスプリッタＭ３に向けて反射し、走査光学系３０からの光の被検眼Ｅからの戻り光を走査光学系３０に向けて反射し、照明光学系１０からの光の被検眼Ｅからの戻り光を透過する特性を有する。ビームスプリッタＭ２は、走査光学系３０（又は干渉光学系４０）の光軸が照明光学系１０（又は観察光学系２０）の光軸と略同軸になるように、これら光学系を結合することが望ましい。
【００４３】
ビームスプリッタＭ３は、固視光学系５０の光路とそれ以外の光学系の光路とを結合する。ビームスプリッタＭ３は、固視光学系５０からの光を透過し、それ以外の光学系（照明光学系１０や干渉光学系４０）からの光又はその戻り光を反射する特性を有する。ビームスプリッタＭ３は、固視光学系５０の光軸がそれ以外の光学系の光軸と略同軸になるように、これら光学系を結合することが望ましい。
【００４４】
図１では図示が省略されているが、ビームスプリッタＭ３と被検眼Ｅとの間には対物レンズが配置されている。
【００４５】
（照明光学系）
照明光学系１０は、被検眼Ｅの前眼部を照明する。照明光学系１０は、照明光源やレンズなどを含む。
【００４６】
（観察光学系）
観察光学系２０は、照明光学系１０により照明されている被検眼Ｅの前眼部を観察するために用いられる。観察光学系２０は、接眼レンズ及び撮像素子の少なくとも一方を含む。接眼レンズは、被検眼Ｅの肉眼観察に用いられる。撮像素子は、被検眼Ｅの正面画像の取得に用いられる。
【００４７】
照明光学系１０からの照明光は、ビームスプリッタＭ１、Ｍ２を透過し、ビームスプリッタＭ３により反射され、図示しない対物レンズを通過して被検眼Ｅの前眼部を照明する。被検眼Ｅからの照明光の戻り光は、同じ経路を逆方向に進行し、ビームスプリッタＭ１により反射され、観察光学系２０に入射する。観察光学系２０に入射した戻り光は、例えば、撮像素子の撮像面に集光される。撮像素子を用いて取得された画像は、撮像素子からの信号を受けた制御部５がＵＩ部８を制御することによって図示しない表示部等に表示される。
【００４８】
（走査光学系）
走査光学系３０は、制御部５からの制御を受け、干渉光学系４０から出力された測定光を偏向する。例えば、走査光学系３０は、２次元的な偏向角度範囲内において光を偏向する。なお、偏向方向の次元は２次元には限定されず、例えば１次元であってもよい。
【００４９】
走査光学系３０は、光スキャナーを含む。光スキャナーとしては、１軸の偏向部材又は互いに直交する２軸の偏向部材が用いられる。偏向部材の例として、ガルバノミラー、ポリゴンミラー、回転ミラー、ダボプリズム、ダブルダボプリズム、ローテーションプリズム、ＭＥＭＳミラースキャナーなどがある。２軸の偏向部材が用いられる場合、高速スキャン用の偏向部材（例えばポリゴンミラー）と低速スキャン用の偏向部材（例えばガルバノミラー）とを組み合わせることができる。走査光学系３０は、偏向された光を眼底Ｅｆに投射するための光学素子を更に含んでもよい。
【００５０】
（干渉光学系）
干渉光学系４０は、光源からの光を測定光と参照光とに分割し、測定光を被検眼Ｅ（眼底Ｅｆ）に照射し、被検眼Ｅからの測定光の戻り光と参照光とを重ね合わせて得られる干渉光を検出器に導く。干渉光学系４０は、例えばスウェプトソースタイプ又はスペクトラルドメインタイプのＯＣＴ（Ｏｐｔｉｃａｌ  Ｃｏｈｅｒｅｎｃｅ  Ｔｏｍｏｇｒａｐｈｙ）が適用される。
【００５１】
スウェプトソースタイプのＯＣＴが適用される場合、干渉光学系４０は、出射光の波長を掃引（走査）可能な波長掃引型（波長走査型）光源であるＯＣＴ光源を含む。波長掃引型光源には、例えば、共振器を含み、所定の中心波長を有する光を発するレーザー光源が用いられる。波長掃引型光源は、人眼では視認できない近赤外の波長帯において、出力波長を時間的に変化させる。
【００５２】
ＯＣＴ光源から出力される光は、例えば、１０４０〜１０６０ｎｍ程度（例えば、１０５０ｎｍ）の中心波長を有し、５０ｎｍ程度の波長幅を有する近赤外光であってよい。なお、この実施形態では特にスウェプトソースタイプについて説明しているが、スペクトラルドメインタイプを適用する場合には、スーパールミネセントダイオード（Ｓｕｐｅｒ  Ｌｕｍｉｎｅｓｃｅｎｔ  Ｄｉｏｄｅ：ＳＬＤ）や、ＬＥＤや、ＳＯＡ（Ｓｅｍｉｃｏｎｄｕｃｔｏｒ  Ｏｐｔｉｃａｌ  Ａｍｐｌｉｆｉｅｒ）等の光出力デバイスが光源として用いられる。一般に、ＯＣＴ光源の構成としては、ＯＣＴのタイプに応じたものが適宜選択される。
【００５３】
ＯＣＴ光源から出力された光は、光ファイバによりファイバカプラに導かれて測定光と参照光とに分割される。測定光は、光ファイバにより導光され、ファイバ端部から出射され、コリメートレンズにより平行光束となる。この光ファイバのファイバ端部は、被検眼Ｅの眼底Ｅｆと光学的に略共役な位置である眼底共役位置又はその近傍に配置されている。測定光は、走査光学系３０により偏向され、ビームスプリッタＭ２により反射され、ビームスプリッタＭ３により被検眼Ｅに向けて反射される。眼底Ｅｆに照射された測定光は、例えば、眼底Ｅｆなどの測定部位において散乱、反射される。この散乱光及び反射光をまとめて測定光の戻り光と称することがある。測定光の戻り光は、同じ経路を逆向きに進行して上記のファイバカプラに導かれる。
【００５４】
一方、参照光は、光ファイバにより導光され、参照光の光路に沿って移動可能な参照ミラーにより反射され、その反射光は再び上記のファイバカプラに導かれる。なお、参照光の光路には、偏波調整器（偏波コントローラ）や、分散補償用の光学素子（ペアプリズム等）や、偏光補正用の光学素子（波長板等）や、制御部５の制御の下で光ファイバを通過している参照光の光量を調整する光減衰器（アッテネータ）が設けられていてもよい。偏波調整器は、例えば、ループ状にされた光ファイバに対して外部から応力を与えることで、当該光ファイバ内を通過している参照光の偏光状態を調整する。
【００５５】
測定光の戻り光と参照ミラーにより反射された参照光が入射する上記のファイバカプラは、測定光の戻り光と参照光とを合波する。これにより生成された干渉光は、光ファイバにより検出器に導光される。このとき、別のファイバカプラにより所定の分岐比（例えば１：１）で干渉光を分岐して一対の干渉光が生成される。一対の干渉光は、検出器（バランスドフォトダイオード）により検出される。なお、スペクトラルドメインＯＣＴの場合、検出器（分光器）は、ファイバカプラにより生成された干渉光を複数の波長成分に分解して検出する。
【００５６】
検出器は、一対の干渉光を検出した結果（検出信号）を図示しないＤＡＱ（Ｄａｔａ  Ａｃｑｕｉｓｉｔｉｏｎ  Ｓｙｓｔｅｍ）に送る。ＤＡＱには、ＯＣＴ光源からクロックが供給される。このクロックは、波長可変光源により所定の波長範囲内にて掃引される各波長の出力タイミングに同期して生成される。ＤＡＱは、このクロックに基づいて検出信号をサンプリングする。サンプリング結果は、ＯＣＴ画像を形成するための画像形成部６に送られる。
【００５７】
（固視光学系）
固視光学系５０は、被検眼Ｅの眼底Ｅｆに固視光束を投射する。このような固視光学系５０は、例えば、可視光を出力する固視光源、又は制御部５からの指示を受けて視標を表示する液晶ディスプレイなどの表示デバイスを含む。
【００５８】
光学系２には、アライメント系やフォーカス系が設けられていてもよい。アライメント系やフォーカス系についても、従来と同様に、指標（アライメント指標、フォーカシング指標）を被検眼Ｅに投影するための光学系と、その戻り光を検出するための光学系とを含む。なお、被検眼Ｅの前眼部を撮影する２以上の撮像装置を設け、これら撮像装置により実質的に同時に取得された２以上の前眼部像を解析して（例えば三角法を利用して）アライメントを行うように構成することもできる。
【００５９】
＜スキャンについて＞
以上のような光学系２において、例えば、干渉光学系４０におけるＯＣＴ光源に基づいて生成された測定光は、走査光学系３０により偏向され、被検眼Ｅの瞳孔を通じて眼底Ｅｆにスポット光として結像される。その戻り光は、スポット光の投射位置（及びその近傍位置）から光学系２に戻ってくる光である。戻り光は、上記したようにファイバカプラに導かれ、参照光と合波される。測定光の戻り光と参照光との干渉光は、検出器により検出される。検出器は、光電変換により電気信号（受光信号）を生成する。なお、スポット光の投射位置をスポット位置と記載することがある。
【００６０】
この一連のプロセスは、眼底Ｅｆの一点の計測に相当する。走査光学系３０は、所定の偏向角度範囲内においてスポット位置を移動する。つまり、走査光学系３０により、所定の偏向角度範囲内におけるスキャンが実現される。また、移動機構４は、所定の移動角度範囲内において光学系２を旋回する。つまり、移動機構４は、走査光学系３０の偏向角度範囲に対応するスキャンエリア（単一スキャンエリア）を移動する。これらを組み合わせることで、単一スキャンエリアを移動させつつ眼底Ｅｆの広い範囲を計測することができる。
【００６１】
図２に、実施形態に係る眼科装置１によるスキャン動作の説明図を示す。
【００６２】
図２に示すように、全スキャンエリアＴＡは、１以上のサブスキャンエリアＳＡ（α，β）を含む。全スキャンエリアＴＡの水平方向（例えばＸ方向）の広がりをθＨとし、垂直方向（例えばＹ方向）の広がりをθＶとする。全スキャンエリアＴＡは、縦横に配列された複数のサブスキャンエリアＳＡ（α，β）に分割されている。ここで、α＝１，２，・・・，Ｍ、且つ、β＝１，２，・・・，Ｎであり、Ｍ及びＮはそれぞれ１以上の整数であり、Ｍ及びＮの少なくとも一方は２以上の整数である。なお、複数のサブスキャンエリアＳＡ（α，β）の全てが同じサイズである必要もなく、また、同じ形状である必要もない。
【００６３】
各サブスキャンエリアＳＡ（α，β）は単一スキャンエリアに相当する。サブスキャンエリアＳＡ（α，β）の一部とサブスキャンエリアＳＡ（α＋１，β）の一部とが重複していてもよく、サブスキャンエリアＳＡ（α，β）の一部とサブスキャンエリアＳＡ（α，β＋１）の一部とが重複していてもよい。
【００６４】
実施形態では、複数のサブスキャンエリアＳＡ（α，β）を順次にスキャンすることにより全スキャンエリアＴＡのスキャンが実現される。走査光学系３０を制御することにより各サブスキャンエリアＳＡ（α，β）のスキャンが実行され、移動機構４の制御によりスキャン対象となるサブスキャンエリアＳＡ（α，β）が切り替えられる。
【００６５】
各サブスキャンエリアＳＡ（α，β）のスキャンについて説明する。例えば、走査光学系３０は、干渉光学系４０からの測定光を所定の偏向角度範囲内において偏向する。この偏向角度範囲の水平方向の広がりを「２・θＨ１」とし、垂直方向の広がりを「２・θＶ１」とする。つまり、走査光学系３０は、その偏向中心（例えば走査光学系３０の光軸上の位置）を基準に、左右方向にそれぞれ「θＨ１」だけスポット位置を移動することができ、上下方向にそれぞれ「θＶ１」だけスポット位置を移動することができる。なお、偏向角度とＸＹ面内の距離（弦の長さ）とは互いに対応しているので、これらを同一視することができる。
【００６６】
移動機構４により瞳位置を中心に所定の移動角度範囲内において光学系２を旋回させることにより、サブスキャンエリアＳＡ（α，β）が切り替えられる。この移動角度範囲の水平方向の広がりを「θＨ２」とし、垂直方向の広がりを「θＶ２」とする。つまり、移動機構４は、水平方向に「θＨ２」だけ光学系２を旋回することができ、垂直方向に「θＶ２」だけ光学系２を旋回することができる。
【００６７】
このような走査光学系３０と移動機構４によれば、複数のサブスキャンエリアＳＡ（α，β）が重複も隙間もなく配置されている場合、スポット位置の水平方向の移動範囲はθＨ＝θＨ２＋２・θＨ１であり、垂直方向の移動範囲はθＶ＝θＶ２＋２・θＶ１である。水平方向の広がりがθＨであり、且つ、垂直方向の広がりがθＶであるエリアは、全スキャンエリアＴＡに相当する。なお、重複や隙間が設けられる場合には、重複の幅や隙間の間隔に応じて全スキャンエリアＴＡが決定される。
【００６８】
一例において、θＨ１＝６０度、θＨ２＝４０度、θＶ１＝４０度、θＶ２＝４０度に設定される。それにより、水平方向に１６０度、且つ、垂直方向に１２０度の範囲をスキャンすることが可能となる。なお、θＨ１、θＨ２、θＶ１、θＶ２は、例えば、コストや作動距離などの任意のファクタを考慮して決定される。
【００６９】
＜制御部＞
制御部５は、装置各部の制御を行う。制御部５は、プロセッサ及び記憶装置（記憶回路）を含む。記憶装置には、眼科装置１を制御するためのコンピュータプログラムが予め格納される。このコンピュータプログラムには、光源制御用プログラム、走査制御用プログラム、移動機構制御用プログラム、ユーザインターフェイス制御用プログラムなどが含まれる。このようなコンピュータプログラムに従ってプロセッサが動作することにより、制御部５は制御処理を実行する。
【００７０】
なお、「プロセッサ」とは、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。
【００７１】
この実施形態では、走査光学系３０と移動機構４とを連係的に制御することで、図２に例示するようなスキャンを実現することができる。例えば、制御部５の記憶装置には、測定光を偏向するための既定の偏向パターンと、光学系２を移動させるための既定の移動パターンとが予め記憶されている。偏向パターンや移動パターンは、デフォルト設定されてもよいし、ユーザにより設定されてもよい。また、複数の偏向パターンと複数の移動パターンとを任意に組み合わせて適用できるように構成してもよい。パターンの選択は、例えばユーザ又は制御部５により行われる。
【００７２】
制御部５は、偏向パターンに基づく走査光学系３０の制御（走査制御）と、移動パターンに基づく移動機構４の制御（移動制御）とを連係的に実行する。例えば、制御部５は、走査制御と移動制御とを交互に実行する。ここで、単一の走査制御は、単一スキャンエリア（１つのサブスキャンエリア）のスキャンに相当し、単一の移動制御は、サブスキャンエリアの切り替えに相当する。他の例として、制御部５は、全スキャンエリアに対するスキャンの少なくとも一部のフェーズにおいて走査制御と移動制御とを並行して行うことができる。
【００７３】
図３に、実施形態に係るスキャンモードの説明図を示す。図３は、視神経乳頭Ｎと黄斑部Ｈとを含む全スキャンエリアＡＲを複数のサブスキャンエリアに分けて走査する態様を模式的に表している。
【００７４】
制御部５は、既定の移動パターンに従って移動機構４を制御することにより、スキャン対象となるサブスキャンエリア（単一スキャンエリア）を、例えばサブスキャンエリアＳＲ１、ＳＲ２、ＳＲ３、・・・の順に移動させる。このとき、隣接するサブスキャンエリアＳＲｉ、ＳＲ（ｉ＋１）同士は重複エリアＣＲｉを有する（ｉ＝１，２，３，・・・）。複数のサブスキャンエリアから得られた複数の画像から全スキャンエリアＡＲの画像を形成するとき、重複エリアを利用して隣接する画像同士の位置合わせを行うことができる。制御部５は、既定の偏向パターンに基づいて、各サブスキャンエリアのスキャンを行うように光学系２を制御する。図３に示す例ではラスタースキャンが適用される。偏向パターンの他の例として、サークルスキャン、同心円スキャン、ラジアルスキャン、スリットスキャン（１次元スキャン）などがある。
【００７５】
＜画像形成部＞
画像形成部６は、画像形成用プログラムを記憶した記憶装置と、この画像形成用プログラムに従って動作するプロセッサとを含む。画像形成部６は、例えば従来のＯＣＴと同様に、検出器から入力される受光信号と、制御部５から入力される画素位置信号とに基づいて、眼底Ｅｆの断層像を形成する。例えば、画像形成部６は、例えば一連の波長走査毎に（Ａライン毎に）、干渉光の検出結果に基づくスペクトル分布にフーリエ変換等を施すことにより、各Ａラインにおける反射強度プロファイルを形成し、各Ａラインの反射強度プロファイルを画像化することにより画像データを形成することが可能である。
【００７６】
＜データ処理部＞
データ処理部７は、各種のデータ処理を実行する。データ処理の例として、画像形成部６又は他の装置により形成された画像データの処理がある。この処理の例として、画像処理、画像解析、画像評価、診断支援などがある。データ処理部７は、例えば、画像の輝度補正や分散補正等の補正処理を実行する。また、データ処理部７は、眼底像や断層像に対して各種の画像処理や解析処理を施す。データ処理部７は、断層像の間の画素を補間する補間処理などの公知の画像処理を実行することにより、被検眼Ｅのボリュームデータ（ボクセルデータ）を形成することができる。ボリュームデータに基づく画像を表示させる場合、データ処理部７は、このボリュームデータに対してレンダリング処理を施して、特定の視線方向から見たときの擬似的な３次元画像を形成する。
【００７７】
また、データ処理部７は、ボリュームデータからＣモード画像、プロジェクション画像、シャドウグラムなどを形成することができる。Ｃモード画像は、例えば指定された断面上の画素（ピクセル、ボクセル）を３次元データセットから選択することにより形成される。プロジェクション画像は、３次元データセットを所定方向（Ｚ方向、深さ方向、軸方向）に投影することによって形成される。シャドウグラムは、３次元データセットの一部（例えば特定層に相当する部分データ）を所定方向に投影することによって形成される。
【００７８】
更に、データ処理部７は、複数のサブスキャンエリアから得られた複数の画像（断層像）に対し、隣接する画像同士の位置合わせを行うことにより全スキャンエリアＡＲの画像を生成することが可能である。このとき、データ処理部７は、重複エリアを利用して隣接する画像同士の位置合わせを行うことができる。
【００７９】
データ処理部７は、データ処理用プログラムを記憶した記憶装置と、このデータ処理用プログラムに従って動作するプロセッサとを含む。
【００８０】
＜ユーザインターフェイス部＞
ユーザインターフェイス（ＵＩ）部８は、ユーザと眼科装置１との間で情報のやりとりを行うための機能を備える。ユーザインターフェイス部８は、表示デバイスと操作デバイス（入力デバイス）とを含む。表示デバイスは、例えば液晶ディスプレイ（ＬＣＤ）を含む。操作デバイスは、各種のハードウェアキー及び／又はソフトウェアキーを含む。制御部５は、操作デバイスに対する操作内容を受け、この操作内容に対応した制御信号を各部に出力する。操作デバイスの少なくとも一部と表示デバイスの少なくとも一部とを一体的に構成することが可能である。タッチパネルディスプレイはその一例である。
【００８１】
＜検出部＞
検出部９は、眼科装置１（例えば、収容部３）に対してアタッチメント部材９０が装着されているか否かを検出する。このような検出部９として、装着時にアタッチメント部材９０により押下されるマイクロスイッチなどがある。また、接触センサーや光センサーによる公知の検出方法により、アタッチメント部材９０の装着状態を検出してもよい。
【００８２】
また、検出部９は、ＵＩ部８を用いたユーザの操作により、眼科装置１に対するアタッチメント部材９０の装着状態を検出してもよい。例えば、ＵＩ部８に対するユーザの操作により、アタッチメント部材９０が装着されていることが指定されたり、アタッチメント部材９０が装着されていないことが指定されたりする。
【００８３】
このような検出部９による検出結果は、制御部５に出力される。実施形態に係る眼科装置１は、検出部９の検出結果に応じてアライメント動作モードを変更することが可能である。すなわち、制御部５は、検出部９により得られた検出結果に基づいて駆動部４Ｄを制御することが可能である。具体的には、検出部９によりアタッチメント部材が装着されていないことが検出されたとき、眼科装置１は、オートアライメントを行うための第１アライメント動作を実行する。また、検出部９によりアタッチメント部材が装着されていることが検出されたとき、眼科装置１は、被検者自身によりアライメントを行うための第２アライメント動作を実行する。第２アライメント動作の実行中には、制御部５は、移動機構４による光学系２の移動を禁止する。それにより、被検者の顔と眼科装置１との意図しない接触を回避しつつ、被検者自身による光学系２に対する被検眼Ｅの位置の調整を容易化する。
【００８４】
＜その他の制御＞
眼底Ｅｆの動画撮影（赤外動画観察等）を実行できる場合、制御部５は、眼底Ｅｆの動きを監視しつつ眼底Ｅｆの所定部位が画像（フレーム）中の一定の位置に描出されるように眼球運動を補償するトラッキング制御を行うことができる。また、制御部５やデータ処理部７は、取得されたデータを解析して画像間（フレーム間）における描出位置のずれを補正することにより事後的にトラッキングを行うことができる。また、制御部５やデータ処理部７は、被検眼Ｅの視線方向の検知を行い、視線の動きによる位置ずれをキャンセルするようにトラッキング制御を実行することができる。
【００８５】
Ｚ方向は、実施形態に係る「光軸の方向」の一例である。Ｘ方向又はＹ方向は、実施形態に係る「光軸の方向に交差する方向」の一例である。
【００８６】
＜動作例＞
第１実施形態に係る眼科装置１の動作の例を説明する。
【００８７】
図４〜図６に、第１実施形態に係る眼科装置１の動作例のフロー図を示す。図４は、眼科装置１によりＯＣＴ撮影を行う場合の動作例のフロー図を表す。図５は、図４のステップＳ２における第１アライメント動作の動作例のフロー図を表す。図６は、図４のステップＳ３における第２アライメント動作の動作例のフロー図を表す。
【００８８】
（Ｓ１）
まず、制御部５は、眼科装置１に対してアタッチメント部材９０が装着されているか否かを判別する。制御部５は、検出部９により得られた検出結果に基づいて、アタッチメント部材９０が装着されているか否かを判別する。アタッチメント部材９０が装着されていないと判別されたとき（Ｓ１：Ｎ）、眼科装置１の動作はステップＳ２に移行する。アタッチメント部材９０が装着されていると判別されたとき（Ｓ１：Ｙ）、眼科装置１の動作はステップＳ３に移行する。
【００８９】
（Ｓ２）
ステップＳ１においてアタッチメント部材９０が装着されていないと判別されたとき（Ｓ１：Ｎ）、制御部５は、第１アライメント動作を実行する。第１アライメント動作については後述する。その後、眼科装置１の動作はステップＳ４に移行する。
【００９０】
（Ｓ３）
ステップＳ１においてアタッチメント部材９０が装着されていると判別されたとき（Ｓ１：Ｙ）、制御部５は、第２アライメント動作を実行する。第２アライメント動作については後述する。その後、眼科装置１の動作はステップＳ４に移行する。
【００９１】
（Ｓ４）
第１アライメント動作又は第２アライメント動作が完了すると、制御部５は、ＯＣＴ撮影を実行する。ＯＣＴ撮影では、上記のように、ＯＣＴ光源からの光を測定光と参照光とに分割し、測定光を被検眼Ｅ（眼底Ｅｆ）に照射し、被検眼Ｅからの測定光の戻り光と参照光とを重ね合わせて得られる干渉光が検出器で検出される。このとき、測定光は走査光学系３０により偏向される。この実施形態では、制御部５は、上記のように走査光学系３０と移動機構４とを連係的に制御することにより、図２又は図３に示すように複数のサブスキャンエリアをスキャンしつつ全スキャンエリアのスキャンを実行することが可能である。制御部５は、検出器の検出結果に基づいてＯＣＴ画像を画像形成部６に形成させる。例えば、画像形成部６は、図２又は図３に示す全スキャンエリアに対するスキャン結果に基づき、眼底Ｅｆにおける所定部位の断層像を形成することが可能である。
【００９２】
（Ｓ５）
続いて、制御部５は、ステップＳ４において形成された断層像をＵＩ部８の表示部等に表示させる。
【００９３】
（Ｓ６）
制御部５は、ステップＳ４において形成された断層像の画像データを記憶装置に保存する。以上で、眼科装置１の動作は終了である（エンド）。
【００９４】
図４のステップＳ２において、第１アライメント動作では、観察光学系２０により得られた被検眼Ｅの正面画像に基づいてＸＹアライメントが行われ、干渉光学系４０により得られた干渉光の検出結果に基づいてＺアライメントが行われる。Ｚアライメントは、干渉光学系４０からの情報（検出結果等）に限定されず、例えば観察光学系２０により得られた被検眼Ｅの画像のコントラストの値に基づいて行われてもよい。
【００９５】
（Ｓ１１）
制御部５は、移動機構４により光学系２を初期位置に移動させる。例えば、制御部５は、予め決められたサブスキャンエリアに対するスキャンを実行するための位置に光学系２が配置されるように移動機構４を制御する。
【００９６】
（Ｓ１２）
続いて、制御部５は、照明光学系１０を制御することにより被検眼Ｅの前眼部を照明させ、観察光学系２０により被検眼Ｅの前眼部の正面画像を取得させる。
【００９７】
（Ｓ１３）
次に、制御部５は、ステップＳ１２において取得された前眼部の照明画像から瞳孔中心に相当する領域（瞳孔中心領域）等の特徴部位をデータ処理部７に特定させる。例えば、データ処理部７は、取得された画像の輝度に基づいて瞳孔領域を特定し、特定された瞳孔領域の輪郭を特定し、特定された輪郭から瞳孔領域の中心を求めることが可能である。特徴領域は、例えば、瞳孔重心に相当する領域（瞳孔重心領域）、虹彩中心に相当する領域（虹彩中心領域）、虹彩重心に相当する領域（虹彩重心領域）、虹彩パターンを表す領域（虹彩パターン領域）などであってもよい。
【００９８】
（Ｓ１４）
制御部５は、正面画像中の特徴部位の位置と光軸Ｏに対応する位置との距離が所定の閾値以内であるか否かを判別する。当該距離が所定の閾値以内であると判別されたとき（Ｓ１４：Ｙ）、ＸＹアライメントが完了したと判断し、眼科装置１の動作はステップＳ１６に移行する。当該距離が所定の閾値を超えていると判別されたとき（Ｓ１４：Ｎ）、ＸＹアライメントが完了していないと判断し、眼科装置１の動作はステップＳ１５に移行する。
【００９９】
（Ｓ１５）
ステップＳ１４において当該距離が所定の閾値を超えていると判別されたとき（Ｓ１４：Ｎ）、制御部５は、正面画像中の特徴部位と光学系２の光軸Ｏに対応する位置とが一致するように駆動部４Ｄを制御することにより、Ｘ方向及びＹ方向の少なくとも１つの方向に光学系２（収容部３）を移動する。その後、眼科装置１の動作はステップＳ１２に移行する。
【０１００】
（Ｓ１６）
ステップＳ１４において当該距離が所定の閾値以内であると判別されたとき（Ｓ１４：Ｙ）、制御部５は、ＯＣＴ計測を開始させる。具体的には、制御部５は、干渉光学系４０からの測定光を被検眼Ｅの眼底Ｅｆに照射させる。それにより、干渉光学系４０では、眼底Ｅｆからの測定光の戻り光と参照光とから干渉光が生成され、検出器により検出される。制御部５は、検出器による干渉光の検出結果に基づいて、干渉光の強度を特定する。
【０１０１】
（Ｓ１７）
制御部５は、ステップＳ１６において特定された干渉光の強度が所定の閾値以上であるか否かを判別する。当該干渉光の強度が所定の閾値以上であると判別されたとき（Ｓ１７：Ｙ）、Ｚアライメントが完了したと判断し、第１アライメント動作は終了する（エンド）。当該干渉光の強度が所定の閾値を超えていると判定されたとき（Ｓ１７：Ｎ）、眼科装置１の動作はステップＳ１８に移行する。
【０１０２】
（Ｓ１８）
ステップＳ１７において当該干渉光の強度が所定の閾値を超えていると判別されたとき（Ｓ１７：Ｎ）、制御部５は、干渉光の強度が所定の閾値以上になるように駆動部４Ｄを制御することにより、Ｚ方向に光学系２（収容部３）を移動する。制御部５は、干渉光の強度と光学系２の移動方向及び移動量とが予め対応付けられたテーブル情報を参照することにより、ステップＳ１６において特定された干渉光の強度から光学系２の移動方向と移動量を特定してもよい。この場合、テーブル情報は記憶装置に記憶される。その後、眼科装置１の動作はステップＳ１６に移行する。
【０１０３】
図４のステップＳ３において、第２アライメント動作では、移動機構４による光学系２の移動が禁止された状態で被検者自身が顔を移動することにより光学系２に対する被検眼Ｅの位置合わせが行われる。
【０１０４】
（Ｓ２１）
まず、制御部５は、移動機構４による光学系２の移動を禁止する制御を行う。制御部５は、移動機構４を制御することにより光学系２を基準位置に移動させた後に、移動機構４による光学系２の移動を禁止する制御を行うことが可能である。この禁止制御は、例えば、駆動部４Ｄに対する制御の無効化制御、移動機構４に対して駆動力が伝達されないような機構的な制御、又は、ストッパ部材を用いて移動機構４による光学系２の現在位置からの移動の規制制御であってよい。
【０１０５】
（Ｓ２２）
次に、制御部５は、被検眼Ｅが所定の計測位置に配置されたか否かを判別する。例えば、制御部５は、ＵＩ部８に対し、通過部９２を通して光学系２の側をのぞき込むように顔を保持部材９１に当接させるように被検者に促す情報等を表示部に表示させる。このように被検者が顔を保持部材９１に保持させることで、被検眼Ｅが所定の計測位置に配置される。保持部材９１に顔を当接させた被検者がＵＩ部８に対する操作を行うことで、制御部５は、被検眼Ｅが所定の計測位置に配置されたか否かを判別することができる。また、制御部５は、図示しないセンサーで被検者の顔が保持部材９１に所定位置に保持されたかを検出することにより、被検眼Ｅが所定の計測位置に配置されたか否かを判別してもよい。
【０１０６】
被検眼Ｅが所定の計測位置に配置されたと判別されたとき（Ｓ２２：Ｙ）、眼科装置１の動作はステップＳ２３に移行する。被検眼Ｅが所定の計測位置に配置されたと判別されなかったとき（Ｓ２２：Ｎ）、眼科装置１はステップＳ２２の処理を繰り返す。
【０１０７】
（Ｓ２３）
ステップＳ２２において被検眼Ｅが所定の計測位置に配置されたと判別されたとき（Ｓ２２：Ｙ）、制御部５は、所定の固視位置（例えば既定の原点位置）に固視標を呈示するように固視光学系５０を制御する。
【０１０８】
（Ｓ２４）
続いて、制御部５は、照明光学系１０を制御することにより被検眼Ｅの前眼部を照明させ、観察光学系２０により被検眼Ｅの前眼部の正面画像を取得させる。
【０１０９】
（Ｓ２５）
次に、制御部５は、ステップＳ２４において取得された前眼部の正面画像から被検眼Ｅの位置（例えば、被検眼Ｅの特徴部位の位置）を特定し、所定の基準位置（例えば、光軸Ｏに対応する位置）に対する被検眼Ｅの位置の変位を求める。当該変位は、データ処理部７により算出されてもよい。
【０１１０】
（Ｓ２６）
制御部５は、ステップＳ２５において求められた被検眼Ｅの位置の変位が所定の閾値以下であるか否かを判別する。当該変位が所定の閾値以下であると判別されたとき（Ｓ２６：Ｙ）、第２アライメント動作は終了する（エンド）。
【０１１１】
当該変位が所定の閾値を超えていると判別されたとき（Ｓ２６：Ｎ）、眼科装置１の動作はステップＳ２４に移行する。このとき、制御部５は、被検者に顔を動かすことにより被検眼Ｅの位置の移動を促すような情報等をＵＩ部８の表示部に表示させることが可能である。なお、表示部に表示させる情報には、被検眼Ｅを移動すべき方向や移動量に対応した情報が含まれることが望ましい。
【０１１２】
なお、図４のステップＳ１において、ＵＩ部８に対して検者又は被検者が指定することにより、第１アライメント動作を行うか、第２アライメント動作を行うかが指定されてもよい。また、制御部５が、被検者の顔の形状測定データに基づいて、第１アライメント動作を行うか、第２アライメント動作を行うかを判別してもよい。例えば、形状測定データにより彫りが深い顔であると判別されたとき、制御部５は、第２アライメント動作を指定し、被検者と装置との接触を回避させることができる。
【０１１３】
以上説明したように、第１実施形態では、被検者の顔を移動自在に保持する保持部材９１を含むアタッチメント部材９０の装着状態に応じて眼科装置１のアライメント動作が変更される。アタッチメント部材９０が装着されていないとき、眼科装置１は、いわゆるオートアライメントにより光学系２に対する被検眼Ｅの位置合わせを行う。アタッチメント部材９０が装着されているとき、眼科装置１は、光学系２の移動を禁止する。この場合、光学系２に対する被検眼Ｅの位置合わせは、保持部材９１により顔が移動自在に保持された被検者自身の動きにより被検眼Ｅの位置を変更することにより行われる。これにより、作動距離が短い場合であっても被検者と眼科装置１との接触を回避することが可能になる。
【０１１４】
［第２実施形態］
実施形態に係る眼科装置は、第２アライメント動作において適正な計測位置への被検眼Ｅの移動を促すことが可能である。以下では、第２実施形態に係る眼科装置について、第１実施形態との相違点を中心に説明する。
【０１１５】
＜構成＞
図７に、第２実施形態に係る眼科装置の概略構成を示す。第２実施形態に係る眼科装置１ａの構成が第１実施形態に係る眼科装置１の構成と異なる点は、主として、光学系２に代えて光学系２ａが設けられている点と、データ処理部７に代えてデータ処理部７ａが設けられている点と、制御部５に代えて制御部５ａが設けられている点である。
【０１１６】
収容部３ａに収容されている光学系２ａの構成が光学系２の構成と異なる点は、主として、固視光学系５０に代えて固視光学系５０ａが設けられている点である。固視光学系５０ａは、被検眼Ｅに呈示するための視標を表示する液晶ディスプレイ５１ａを含む。液晶ディスプレイ５１ａは、制御部５ａからの制御を受け、所望の視標画像（固視画像）を表示することができる。また、制御部５ａは、液晶ディスプレイ５１ａに固視標に対応した視標画像を表示させることにより、固視光学系５０ａを固視光学系５０と同様に機能させることができる。
【０１１７】
データ処理部７ａは、データ処理部７の構成に対して変位算出部７１ａが追加された構成を有している。変位算出部７１ａは、観察光学系２０により取得された被検眼Ｅの正面画像における特徴部位と光軸Ｏに対応する位置との変位を算出する。制御部５ａは、算出された変位から光学系２ａに対する被検眼Ｅの相対位置を特定し、特定された相対位置に応じて固視光学系５０ａを制御する。このとき、データ処理部７ａ（又は画像形成部６）は、被検眼Ｅを移動すべき方向及び移動量を認識させるために、当該変位に応じた固視画像を生成することが可能である。
【０１１８】
制御部５ａは、制御部５による制御内容に対し、固視光学系５０ａやデータ処理部７ａに対する制御を更に行うことができる。
【０１１９】
＜動作例＞
第２実施形態に係る眼科装置１ａの動作が第１実施形態に係る眼科装置１の動作と異なる点は、主として、第２アライメント動作である。
【０１２０】
図８に、第２実施形態に係る眼科装置１ａの第２アライメント動作の動作例のフロー図を示す。図９及び図１０に、第２実施形態に係る眼科装置１ａの動作説明図を示す。
【０１２１】
第２実施形態においても、図４のステップＳ３における第２アライメント動作では、移動機構４による光学系２の移動が禁止された状態で被検者自身により被検眼Ｅの位置合わせが行われる。その際、光軸Ｏに対する被検眼Ｅの相対位置に応じて視標画像を変化させることにより、被検者に被検眼Ｅを移動すべき方向及び移動量を認識させる。
【０１２２】
（Ｓ３１）
制御部５ａは、ステップＳ２１と同様に、移動機構４による光学系２の移動を禁止する制御を行う。例えば、制御部５ａは、移動機構４を制御することにより光学系２を基準位置に移動させた後に、移動機構４による光学系２の移動を禁止する制御を行う。
【０１２３】
（Ｓ３２）
次に、制御部５ａは、ステップＳ２２と同様に、被検眼Ｅが所定の計測位置に配置されたか否かを判別する。被検眼Ｅが所定の計測位置に配置されたと判別されたとき（Ｓ３２：Ｙ）、眼科装置１ａの動作はステップＳ３３に移行する。被検眼Ｅが所定の計測位置に配置されたと判別されなかったとき（Ｓ３２：Ｎ）、眼科装置１ａはステップＳ３２の処理を繰り返す。
【０１２４】
（Ｓ３３）
被検眼Ｅが所定の計測位置に配置されたと判別されたとき（Ｓ３２：Ｙ）、制御部５ａは、ステップＳ２３と同様に、所定の固視位置（例えば既定の原点位置）に固視標を呈示するように固視光学系５０ａを制御する。
【０１２５】
（Ｓ３４）
続いて、制御部５ａは、ステップＳ２４と同様に、照明光学系１０を制御することにより被検眼Ｅの前眼部を照明させ、観察光学系２０により被検眼Ｅの前眼部の正面画像を取得させる。
【０１２６】
（Ｓ３５）
次に、制御部５ａは、ステップＳ２５と同様に、ステップＳ３４において取得された前眼部の照明画像から被検眼Ｅの位置を特定し、所定の基準位置に対する被検眼Ｅの位置の変位をデータ処理部７ａに算出させる。
【０１２７】
（Ｓ３６）
制御部５ａは、ステップＳ２６と同様に、ステップＳ３５において求められた被検眼Ｅの位置の変位が所定の閾値以下であるか否かを判別する。当該変位が所定の閾値以下であると判別されたとき（Ｓ３６：Ｙ）、第２アライメント動作は終了する（エンド）。当該変位が所定の閾値を超えていると判別されたとき（Ｓ３６：Ｎ）、眼科装置１ａの動作はステップＳ３７に移行する。
【０１２８】
（Ｓ３７）
ステップＳ３６において当該変位が所定の閾値を超えていると判別されたとき（Ｓ３６：Ｎ）、制御部５ａは、観察光学系２０により取得された被検眼Ｅの正面画像における特徴部位と光軸Ｏに対応する位置との変位を変位算出部７１ａに算出させる。ここで、特徴部位の位置は、ステップＳ３５において特定されたものを流用してもよい。制御部５ａは、求められた変位に応じた固視画像をデータ処理部７ａに生成させる。
【０１２９】
データ処理部７ａは、例えば、図９に示すような基準固視画像ＩＭＧ０と、算出された変位に対応した方向及び移動量だけ基準固視画像ＩＭＧ０をシフトさせた変位固視画像とを重ね合わせた固視画像を生成する。例えば、図１０に示すように、光軸Ｏに対応する位置Ｏ１に対して被検眼Ｅの正面画像における特徴部位（例えば、瞳孔中心領域）の位置Ｐ１がずれている場合、そのずれ量（変位）に応じてシフトされた変位固視画像を基準固視画像ＩＭＧ０に重ね合わせることにより固視画像ＩＭＧ１が生成される。一方、光軸Ｏに対応する位置Ｏ１に対して被検眼Ｅの正面画像における特徴部位の位置Ｐ１が略一致している場合、基準固視画像と変位固視画像とのずれ量がない固視画像ＩＭＧ２が生成される。
【０１３０】
（Ｓ３８）
制御部５ａは、ステップＳ３８において生成された固視画像を液晶ディスプレイ５１ａに表示させる。それにより、変位が大きいほど、基準固視画像と変位固視画像とのずれ量が大きい固視標を被検眼Ｅに呈示し、変位がない場合には基準固視画像と変位固視画像とのずれ量がない固視標を被検眼Ｅに呈示することが可能になる。従って、被検者は、固視光学系５０ａにより呈示される固視標を見ながら被検眼Ｅを移動すべき方向及び移動量を認識することができる。その後、眼科装置１ａの動作は、ステップＳ３４に移行する。
【０１３１】
以上説明したように、第２実施形態では、第２アライメント動作において、被検者に被検眼Ｅの位置を移動すべき方向及び移動量を認識させるようにしたので、被検者は容易に光学系２ａに対する被検眼Ｅの位置合わせを行うことができるようになる。
【０１３２】
［第３実施形態］
実施形態に係る眼科装置は、両眼について自動計測が可能であってもよい。この場合、眼科装置は、被検者が保持部材９１に顔を当接させた状態で、左被検眼（左眼）ＥＬ及び右被検眼（右眼）ＥＲの一方の被検眼から他方の被検眼についての計測を継続的に行うことができる。以下では、第３実施形態に係る眼科装置について、第１実施形態との相違点を中心に説明する。
【０１３３】
第３実施形態に係る眼科装置の構成が第１実施形態に係る眼科装置１の構成と異なる点は、主として、アタッチメント部材９０と、移動機構４による光学系２に対する移動制御内容である。
【０１３４】
図１１に、第３実施形態に係る眼科装置の説明図を示す。図１１において、図１と同様の部分には同一符号を付し、適宜説明を省略する。
【０１３５】
第３実施形態において、アタッチメント部材９０に設けられた保持部材９１には、通過部９２が、被検者の左被検眼ＥＬ及び右被検眼ＥＲに対して光軸Ｏが通過可能に形成される。通過部９２は、左被検眼ＥＬ及び右被検眼ＥＲに対応する位置に形成されていてもよいし、左被検眼ＥＬ及び右被検眼ＥＲに対応する位置の２つの穴部が結合されて１つの穴部として形成されていてもよい。
【０１３６】
移動機構４は、制御部５からの制御を受け、少なくとも左被検眼ＥＬ及び右被検眼ＥＲが並ぶ方向（例えば、Ｘ方向）に光学系２（収容部３）とアタッチメント部材９０とを相対的に移動する。
【０１３７】
第３実施形態によれば、例えば右被検眼ＥＲの計測を終了した後、被検者が保持部材９１に顔を当接させたまま継続して左被検眼ＥＬの計測を行うことができるようになる。
【０１３８】
［第１変形例］
第１実施形態〜第３実施形態では、照明光学系１０及び観察光学系２０により被検眼Ｅの正面画像を取得し、干渉光学系４０からの測定光で被検眼Ｅの眼底Ｅｆをスキャンすることにより眼底Ｅｆの断層像を取得する場合について説明したが、実施形態にかかる眼科装置の構成はこれに限定されるものではない。
【０１３９】
例えば、干渉光学系４０が被検眼Ｅの前眼部の正面画像を取得するようにしてもよい。この場合、例えば、対物レンズ（図示せず）と被検眼Ｅとの間に、干渉光学系４０の焦点位置を前眼部に変更する光学素子等が光軸Ｏに配置される。以下では、第１変形例に係る眼科装置について、第１実施形態との相違点を中心に説明する。
【０１４０】
図１２に、実施形態の第１変形例に係る眼科装置の概略構成のブロック図を示す。図１２において、図１と同様の部分には同一符号を付し、適宜説明を省略する。
【０１４１】
第１変形例に係る眼科装置１ｃの構成が第１実施形態に係る眼科装置１の構成と異なる点は、主として、光学系２に代えて光学系２ｃが設けられている点と、制御部５に代えて光学系２ｃに対応した制御を行う制御部５ｃが設けられている点である。収容部３ｃに収容されている光学系２ｃは、光学系２の構成に対し、照明光学系１０、観察光学系２０、及びビームスプリッタＭ１が省略された構成を有している。画像形成部６は、干渉光学系４０により得られた干渉光の検出結果に基づいて被検眼Ｅの正面画像や断層像を形成することができる。
【０１４２】
第１変形例によれば、作動距離が短い場合であっても被検者と眼科装置との意図しない接触を簡素な構成で回避することが可能になる。
【０１４３】
［第２変形例］
第１実施形態〜第３実施形態では、走査光学系３０が干渉光学系４０からの測定光で被検眼Ｅの眼底Ｅｆをスキャンすることにより眼底Ｅｆの断層像を取得する場合について説明したが、実施形態にかかる眼科装置の構成はこれに限定されるものではない。例えば、走査光学系３０がＳＬＯ光学系からのＳＬＯ光で被検眼Ｅの眼底Ｅｆをスキャンすることにより眼底Ｅｆの正面画像を取得するようにしてもよい。以下では、第２変形例に係る眼科装置について、第１実施形態との相違点を中心に説明する。
【０１４４】
図１３に、実施形態の第２変形例に係る眼科装置の概略構成のブロック図を示す。図１３において、図１と同様の部分には同一符号を付し、適宜説明を省略する。
【０１４５】
第２変形例に係る眼科装置１ｄの構成が第１実施形態に係る眼科装置１の構成と異なる点は、主として、光学系２に代えて光学系２ｄが設けられている点と、画像形成部６に代えて画像形成部６ｄが設けられている点と、制御部５に代えて光学系２ｄに対応した制御を行う制御部５ｄが設けられている点である。収容部３ｄに収容されている光学系２ｄは、光学系２の構成に対し、干渉光学系４０に代えてＳＬＯ光学系４１が設けられている。
【０１４６】
ＳＬＯ光学系４１は、ＳＬＯ投射系と、ＳＬＯ受光系と、ＳＬＯ投射系とＳＬＯ受光系とを光学的に結合する光路結合部材とを含む。ＳＬＯ投射系は、ＳＬＯ光源と、レンズとを含む。ＳＬＯ受光系は、レンズと、共焦点絞りと、検出器とを含む。ＳＬＯ光源は、レーザーダイオード、スーパールミネッセントダイオード、レーザードリブンライトソース等を含み、ＳＬＯに使用可能な波長の光を出力する。検出器は、例えば、アバランシェフォトダイオード又は光電子増倍管を含む。
【０１４７】
ＳＬＯ光源から出力された光ビーム（ＳＬＯ光）は、レンズにより平行光束とされ、走査光学系３０により偏向され、対物レンズを介して眼底Ｅｆに投射される。眼底Ｅｆに投射されたＳＬＯ光の戻り光は、同じ光路を逆向きに進行して、ＳＬＯ受光系に入射する。ＳＬＯ受光系に入射した戻り光は、レンズにより集光され、共焦点絞りの開口を通過し、検出器によって検出される。
【０１４８】
以上のような光学系２ｄにおいて、例えば、ＳＬＯ光源から出力された光は走査光学系３０により偏向され、被検眼Ｅの瞳孔を通じて眼底Ｅｆにスポット光として結像される。その戻り光は、スポット光の投射位置（及びその近傍位置）から光学系２に戻ってくる光である。戻り光は、ＳＬＯ受光系に導かれ、検出器により検出される。検出器は、光電変換により電気信号（受光信号）を生成する。
【０１４９】
画像形成部６ｄは、例えば従来のＳＬＯと同様に、検出器から入力される受光信号と、制御部５ｄから入力される画素位置信号とに基づいて、眼底Ｅｆの正面画像（ＳＬＯ画像）を形成する。
【０１５０】
第２変形例に係るデータ処理部は、複数のサブスキャンエリアから得られた複数の画像（ＳＬＯ画像）に対し、隣接する画像同士の位置合わせを行うことにより全スキャンエリアＡＲの画像を生成することが可能である。このとき、データ処理部は、重複エリアを利用して隣接する画像同士の位置合わせを行うことができる。
【０１５１】
第２変形例によれば、第１実施形態〜第３実施形態と同様に、作動距離が短い場合であっても被検者と装置との意図しない接触を回避することができる。
【０１５２】
［第３変形例］
第２変形例では、干渉光学系４０に代えてＳＬＯ光学系４１が設けられている場合について説明したが、実施形態に係る眼科装置の構成はこれに限定されるものではない。例えば、干渉光学系４０及びＳＬＯ光学系４１の双方が設けられていてもよい。以下では、第３変形例に係る眼科装置について、第１実施形態との相違点を中心に説明する。
【０１５３】
図１４に、実施形態の第３変形例に係る眼科装置の概略構成のブロック図を示す。図１４において、図１又は図１３と同様の部分には同一符号を付し、適宜説明を省略する。
【０１５４】
第３変形例に係る眼科装置１ｅの構成が第１実施形態に係る眼科装置１の構成と異なる点は、主として、光学系２に代えて光学系２ｅが設けられている点と、画像形成部６に代えて画像形成部６ｅが設けられている点と、データ処理部７に代えてデータ処理部７ｅが設けられている点と、制御部５に代えて光学系２ｅに対応した制御を行う制御部５ｅが設けられている点である。収容部３ｅに収容されている光学系２ｅは、光学系２の構成に対し、ＳＬＯ光学系４１と、走査光学系３１と、反射ミラーＭ４と、ダイクロイックミラーＭ５とが追加されている。
【０１５５】
走査光学系３１は、走査光学系３０と同様の構成を有している。走査光学系３１は、制御部５ｅからの制御を受け、ＳＬＯ光学系４１からのＳＬＯ光を偏向する。走査光学系３１により偏向されたＳＬＯ光は、反射ミラーＭ４により反射され、ダイクロイックミラーＭ５により反射され、ビームスプリッタＭ２、Ｍ３により被検眼Ｅに向けて反射される。それにより、眼底Ｅｆ上におけるスポット位置を移動させる。眼底ＥｆからのＳＬＯ光の戻り光は、同一経路を逆方向に進行し、ＳＬＯ光学系４１のＳＬＯ受光系において検出される。
【０１５６】
画像形成部６ｅは、例えば従来のＯＣＴと同様に、検出器から入力される受光信号と、制御部５ｅから入力される画素位置信号とに基づいて、眼底Ｅｆの断層像や正面画像を形成することが可能である。また、画像形成部６ｅは、例えば従来のＳＬＯと同様に、検出器から入力される受光信号と、制御部５ｅから入力される画素位置信号とに基づいて、眼底Ｅｆの正面画像（ＳＬＯ画像）を形成する。
【０１５７】
データ処理部７ｅは、複数のサブスキャンエリアから得られた複数の画像（ＯＣＴ画像、ＳＬＯ画像）に対し、隣接する画像同士の位置合わせを行うことにより全スキャンエリアＡＲの画像を生成することが可能である。このとき、データ処理部７ｅは、重複エリアを利用して隣接する画像同士の位置合わせを行うことができる。
【０１５８】
第３変形例によれば、第１実施形態〜第３実施形態と同様に、作動距離が短い場合であっても被検者と装置との意図しない接触を回避することができる。
【０１５９】
＜効果＞
実施形態に係る眼科装置の効果について説明する。
【０１６０】
実施形態に係る眼科装置（１、１ａ、１ｃ、１ｄ、１ｅ）は、光学系（２、２ａ、２ｃ、２ｄ、２ｅ）と、収容部（３、３ａ、３ｃ、３ｄ、３ｅ）と、アタッチメント部材（９０）とを含む。光学系は、被検眼（Ｅ）のデータを収集するために用いられる。収容部は、光学系を収容する。アタッチメント部材は、光学系の光軸（Ｏ）が通過する通過部（９２）が形成され被検眼の周辺部位（Ｅｒ）が接触されている状態で被検者の顔を移動自在に保持する保持部材（９１）を含み、収容部と被検眼との間で着脱可能である。
【０１６１】
このような構成によれば、光学系を収容する収容部と被検眼との間でアタッチメント部材を装着することにより、被検者自身の動きで光学系に対する被検眼の位置の変更が可能な眼科装置を提供することができるようになる。被検眼のデータを広い範囲で収集する場合、作動距離が短くなるが、このような場合であっても被検者自身で被検眼の位置の微調整が可能になる。それにより、装置（例えば、光学系、収容部）と被検者（例えば、顔の一部、被検眼）との意図しない接触を回避することができるようになる。
【０１６２】
また、実施形態に係る眼科装置では、保持部材は、少なくとも周辺部位が接触される部分において光学系の光軸の方向（Ｚ方向）及び光軸の方向に交差する方向（Ｘ方向、Ｙ方向）の少なくとも１つの方向に弾性を有していてもよい。
【０１６３】
このような構成によれば、被検者自身の動きで光学系の光軸の方向及び光軸の方向に交差する方向の少なくとも１つの方向に被検眼の位置を変更することにより装置と被検者との意図しない接触を回避することが可能な眼科装置を提供することができるようになる。
【０１６４】
また、実施形態に係る眼科装置では、保持部材は、周辺部位が接触されているときに被検眼が光学系の作動距離に対応する位置に配置されるような光軸の方向の厚さを有していてもよい。
【０１６５】
このような構成によれば、被検者の過度に動いてしまって場合であっても作動距離に対応した所定の被検眼位置より光学系に接近しないようにすることが可能になるので、被検者と装置との接触の可能性をより一層低減させることができるようになる。
【０１６６】
また、実施形態に係る眼科装置は、光学系を移動する移動機構（４）と、移動機構を駆動する駆動部（４Ｄ）と、アタッチメント部材が装着されているか否かを検出する検出部（９）と、検出部により得られた検出結果に基づいて駆動部を制御する制御部（５、５ａ、５ｃ、５ｄ、５ｅ）と、を含んでもよい。
【０１６７】
このような構成によれば、アタッチメント部材の装着状態の検出結果に応じて光学系の移動を制御するようにしたので、アタッチメント部材が装着されているときに被検者自身の動きで光学系に対する被検眼の位置の変更が可能になるように自動的に移行する眼科装置を提供することができるようになる。
【０１６８】
また、実施形態に係る眼科装置では、制御部は、検出部によりアタッチメント部材が装着されていることが検出されたとき、移動機構による光学系の移動を禁止してもよい。
【０１６９】
このような構成によれば、被検者自身の動きで光学系に対する被検眼の位置を変更する際に光学系の位置が固定されるため、被検者と装置との意図しない接触を回避しつつ、被検者自身による光学系に対する被検眼の位置の調整を容易化することができる。
【０１７０】
また、実施形態に係る眼科装置では、制御部は、検出部によりアタッチメント部材が装着されていないことが検出されたとき第１アライメント動作を実行し、検出部によりアタッチメント部材が装着されていることが検出されたとき第２アライメント動作を実行してもよい。
【０１７１】
このような構成によれば、アタッチメント部材の装着状態の検出結果に応じてアライメント動作を変更するようにしたので、アタッチメント部材が装着されているときに被検者自身の動きで光学系に対する被検眼の位置の変更が可能になり、アタッチメント部材が装着されていないときに別のアライメント動作を実行するように自動的に移行する眼科装置を提供することができるようになる。
【０１７２】
また、実施形態に係る眼科装置では、光学系は、光源からの光を参照光と測定光とに分割し、測定光を被検眼に照射し、被検眼からの測定光の戻り光と参照光との干渉光を検出する干渉光学系（４０）と、被検眼を撮影するための観察光学系（２０）と、を含み、制御部は、第１アライメント動作として、干渉光学系により得られた干渉光の検出結果に基づいて光軸の方向の光学系の移動を制御し、観察光学系により得られた被検眼の正面画像における特徴部位の位置に基づいて光軸の方向に交差する方向の光学系の移動を制御してもよい。
【０１７３】
このような構成によれば、アタッチメント部材が装着されているときに被検者自身の動きで光学系に対する被検眼の位置の変更が可能になり、アライメント部材が装着されていないとき、干渉光学系や観察光学系により得られた画像に基づいて光学系に対する被検眼の位置合わせを自動で実行することが可能な眼科装置を提供することができる。
【０１７４】
また、実施形態に係る眼科装置は、干渉光学系により得られた干渉光の検出結果に基づいて被検眼の断層像を形成する画像形成部（６、６ｄ、６ｅ）を含んでもよい。
【０１７５】
このような構成によれば、被検眼の断層像を取得するための干渉光学系を第１アライメント動作に流用することが可能になり、眼科装置の小型化を図ることができるようになる。
【０１７６】
また、実施形態に係る眼科装置では、光学系は、光源からの光を参照光と測定光とに分割し、測定光を被検眼に照射し、被検眼からの測定光の戻り光と参照光との干渉光を検出する干渉光学系（４０）を含み、制御部は、第１アライメント動作として、干渉光学系により得られた干渉光の検出結果に基づいて光軸の方向及び光軸の方向に交差する方向の光学系の移動を制御してもよい。
【０１７７】
このような構成によれば、アタッチメント部材が装着されているときに被検者自身の動きで光学系に対する被検眼の位置の変更が可能になり、アライメント部材が装着されていないとき、干渉光学系により得られた画像に基づいて光学系に対する被検眼の位置合わせを自動で実行することが可能な眼科装置を提供することができる。
【０１７８】
また、実施形態に係る眼科装置は、干渉光学系により得られた干渉光の検出結果に基づいて被検眼の断層像及び正面画像を形成する画像形成部（６、６ｄ、６ｅ）を含んでもよい。
【０１７９】
このような構成によれば、被検眼の断層像を取得するための干渉光学系を第１アライメント動作に流用することが可能になり、眼科装置の小型化を図ることができるようになる。
【０１８０】
また、実施形態に係る眼科装置では、光学系は、被検眼に固視光束を投射する固視光学系（５０、５０ａ）を含み、制御部は、第２アライメント動作として、所定の固視位置に固視標を呈示するように固視光学系を制御してもよい。
【０１８１】
このような構成によれば、アタッチメント部材が装着されているときに、所定の固視位置に固視標を呈示するようにしたので、被検眼の瞳の位置が固定され、被検者自身の動きだけで被検眼の位置を変更し易くなる。
【０１８２】
また、実施形態に係る眼科装置では、光学系は、被検眼に固視標を呈示する固視光学系（５０ａ）を含み、制御部は、被検眼の正面画像に基づいて光学系に対する被検眼の相対位置を特定し、特定された相対位置に応じて固視光学系を制御してもよい。
【０１８３】
このような構成によれば、アライメント部材が装着されているとき、光学系に対する被検眼の相対位置に応じて被検眼に呈示される固視標が制御されるため、被検眼を移動すべき方向や移動量を被検者に認識させることができるようになる。
【０１８４】
また、実施形態に係る眼科装置では、通過部は、被検者の左眼（左被検眼ＥＬ）及び右眼（右被検眼ＥＲ）に対して光軸が通過可能に形成され、移動機構は、少なくとも左眼及び右眼が並ぶ方向に光学系とアタッチメント部材とを相対的に移動してもよい。
【０１８５】
このような構成によれば、被検者の顔を保持部材に当接したまま左眼及び右眼の一方の計測が終了後、他方の眼の計測を継続することが可能になる。
【０１８６】
以上に示された実施形態は、この発明を実施するための一例に過ぎない。この発明を実施しようとする者は、この発明の要旨の範囲内において任意の変形、省略、追加等を施すことが可能である。
【符号の説明】
【０１８７】
１、１ａ、１ｃ、１ｄ、１ｅ  眼科装置
２、２ａ、２ｃ、２ｄ、２ｅ  光学系
３、３ａ、３ｃ、３ｄ、３ｅ  収容部
４  移動機構
４Ａ  ＸＹＺ移動機構
４Ｂ  スイング機構
４Ｃ  チルト機構
４Ｄ  駆動部
５、５ａ、５ｃ、５ｄ、５ｅ  制御部
６、６ｄ、６ｅ  画像形成部
７、７ａ、７ｅ  データ処理部
８  ＵＩ部
９  検出部
１０  照明光学系
２０  観察光学系
３０、３１  走査光学系
４０  干渉光学系
４１  ＳＬＯ光学系
５０、５０ａ  固視光学系
５１ａ  液晶ディスプレイ
９０  アタッチメント部材
９１  保持部材
９２  通過部
Ｅ  被検眼
Ｅｆ  眼底
Ｍ１、Ｍ２、Ｍ３  ビームスプリッタ
Ｍ４  反射ミラー
Ｍ５  ダイクロイックミラー
【図１】
2019013362.tif 000003
【図２】
2019013362.tif 000004
【図３】
2019013362.tif 000005
【図４】
2019013362.tif 000006
【図５】
2019013362.tif 000007
【図６】
2019013362.tif 000008
【図７】
2019013362.tif 000009
【図８】
2019013362.tif 000010
【図９】
2019013362.tif 000011
【図１０】
2019013362.tif 000012
【図１１】
2019013362.tif 000013
【図１２】
2019013362.tif 000014
【図１３】
2019013362.tif 000015
【図１４】
2019013362.tif 000016